(57)【要約】【課題】取付部位に確実に取り付けることができる小型のランプソケット及びそれを用いる照明器具を提供する。【解決手段】ランプソケット１のソケット本体２は樹脂製のボディ３とカバー４とで構成され、両端に口金を有する直管形の蛍光ランプの口金が嵌合する受金を有するプランジャ６を前後動自在に保持している。カバー４の後壁には、スリット４ｄによって一端側を除いて後壁から分離され、他端部が前後方向において撓み自在に形成された撓み片１２が形成され、撓み片１２の他端部に設けた係止突起１２ａが取付板２４の係止孔２６と嵌合する。またボディ３の左右の側壁の後縁からは断面Ｌ形の挟持片１１，１１が突出しており、挟持片１１の縦片１１ｂは取付板２４に設けた貫通孔２５の幅狭部２５ｂ内に挿入されて回り止めを行うとともに、横片１１ａがカバー４の後面との間で取付板２４を挟持する。【選択図】　　　図１
2004146277.tif 000002
【特許請求の範囲】
【請求項１】
両端に口金を有する直管形の蛍光ランプが装着されるランプソケットであって、蛍光ランプの口金を受ける受金が前面に設けられた樹脂製のソケット本体と、ソケット本体の内部に収納され給電線が接続されるとともに口金が備える接触片に電気的に接続される導電部材とを備え、ソケット本体を板状の取付部位に取り付けるための取付手段をソケット本体の後面側に設け、該取付手段を、ソケット本体の後壁に設けたスリットによって一端側を除いて後壁から分離され、他端部が前後方向において撓み自在に形成された撓み片と、撓み片の他端部から後方に向かって突出し取付部位に設けた被係止凹部と係止する係止突起と、それぞれソケット本体の後面から後方に突出し、取付部位に設けた貫通孔に挿入されて貫通孔の縁と当接することにより回り止めを行う一対の位置規制突起と、各位置規制突起の先端部から側方に突出し、ソケット本体の後壁との間で取付部位を挟持する一対の挟持用突起とで構成したことを特徴とするランプソケット。
【請求項２】
ソケット本体の後壁において、押圧突起及び一対の位置規制突起から略等距離の位置に、取付部位に設けた挿通孔に通した取付ねじが螺合するねじ穴を形成したことを特徴とする請求項１記載のランプソケット。
【請求項３】
ソケット本体の内部に撓み片の周りを囲む袋状の隔壁を形成したことを特徴とする請求項１記載のランプソケット。
【請求項４】
両端に口金を有する直管形の蛍光ランプと、蛍光ランプの口金が装着される請求項１乃至請求項３の何れか１つに記載のランプソケットと、ランプソケットを保持する器具本体と、器具本体に取り付けられてランプソケットに装着される蛍光ランプを点灯させる安定器とを備えて成ることを特徴とする照明器具。
【発明の詳細な説明】
【０００１】
【発明の属する技術分野】
本発明は、高出力形の直管形蛍光ランプが装着されるランプソケット及びそれを用いる照明器具に関するものである。
【０００２】
【従来の技術】
この種のランプソケットとしては、例えば図１３（ａ）（ｂ）に示すような構造を有するものが従来より提供されている（特許文献１参照）。
【０００３】
このランプソケットは、後面が開口した略箱状であって前面に蛍光ランプの口金が挿入されるランプ挿入孔が設けられたボディ５１と、ボディ５１の開口を塞ぐようにしてボディ５１に被着されるカバー５２とで構成されるソケット本体５０を有し、ソケット本体５０の内部にはランプピンに接触するとともに、基端にリード線が接続された導電金具（図示せず）が収納されている。
【０００４】
カバー５２の後面の上部には貫通孔５３が貫設され、下部の左右両側には突起５４，５４が突設されている。また、ボディ５１には、カバー５２の貫通孔５３に連通する挿通孔５５が貫設されている。
【０００５】
而して、このランプソケットを照明器具の器具本体に固定された取付板６０に取り付ける際には、ボディ５１の挿通孔５５とカバー５２の貫通孔５３とに挿通したねじ５６の先端を取付板６０に設けた孔６１に通してナット５７に螺合することで、ソケット本体５０を取付板６０にねじ５６で締め付けて固定している。この時、突起５４の先端が取付板６０に設けた孔（図示せず）と嵌合し、ソケット本体５０の回転止めが行われる。
【０００６】
【特許文献１】
特開平１０−１４９７１７号公報（第３頁及び第４図、第５図）
【０００７】
【発明が解決しようとする課題】
ところで、片口金形の蛍光ランプが装着されるランプソケットでは蛍光ランプを片持ち支持しているので、受金が蛍光ランプの口金を保持する力を大きくとる必要があり、その結果ランプ側に引っ張られる方向（この方向をランプ引張り方向と言う。）に加わる力が大きくなって、ランプ引張り方向の取付強度を充分に確保する必要がある。それに対して、両口金形の直管形蛍光ランプが装着されるランプソケットでは蛍光ランプを両側から支持しているので、片口金形の蛍光ランプが装着されるランプソケットに比べて、受金が口金を保持する力を小さくでき、したがってランプ引張り方向に加わる力が小さくなり、ランプ引張り方向の取付荷重が小さくて済むが、蛍光ランプを回転させるような力が加わる場合があるので、蛍光ランプの回転方向への取付強度を十分に確保する必要がある。
【０００８】
上述した従来のランプソケットでは、１本のねじ５６でソケット本体５０を取付板６０に締付固定しているため、蛍光ランプの回転方向への取付強度を大きくとるためには、ねじサイズを大きくして、ねじ５６による締付力を大きくする必要があり、その結果ソケット本体５０が大型化するという問題があった。
【０００９】
また、蛍光ランプを回転させるような力が加わると、ねじ５６を中心にソケット本体５０を回転させるような力がソケット本体５０に加わるが、カバー５２の２個の突起５４が取付板６０の孔と嵌合することで、ソケット本体５０の回転止めを行っているので、ねじ５６の締付時やソケット取付後に蛍光ランプを回転する力がかかった場合に２個の突起５４に荷重が集中して、突起５４が破壊する虞もあった。また、上述のランプソケットでは、ソケット本体５０を取付板６０にねじ止めする際に、ソケット本体５０を取付板６０に仮止めする構造となっていないため、取付作業がやりにくいという問題もあった。
【００１０】
本発明は上記問題点に鑑みて為されたものであり、その目的とするところは、取付部位に確実に取り付けることができる小型のランプソケット及びそれを用いる照明器具を提供することにある。
【００１１】
【課題を解決するための手段】
上記目的を達成するために、請求項１の発明では、両端に口金を有する直管形の蛍光ランプが装着されるランプソケットであって、蛍光ランプの口金を受ける受金が前面に設けられた樹脂製のソケット本体と、ソケット本体の内部に収納され給電線が接続されるとともに口金が備える接触片に電気的に接続される導電部材とを備え、ソケット本体を板状の取付部位に取り付けるための取付手段をソケット本体の後面側に設け、該取付手段を、ソケット本体の後壁に設けたスリットによって一端側を除いて後壁から分離され、他端部が前後方向において撓み自在に形成された撓み片と、撓み片の他端部から後方に向かって突出し取付部位に設けた被係止凹部と係止する係止突起と、それぞれソケット本体の後面から後方に突出し、取付部位に設けた貫通孔に挿入されて貫通孔の縁と当接することにより回り止めを行う一対の位置規制突起と、各位置規制突起の先端部から側方に突出し、ソケット本体の後壁との間で取付部位を挟持する一対の挟持用突起とで構成したことを特徴とする。
【００１２】
請求項２の発明では、請求項１の発明において、ソケット本体の後壁において、押圧突起及び一対の位置規制突起から略等距離の位置に、取付部位に設けた挿通孔に通した取付ねじが螺合するねじ穴を形成したことを特徴とする。
【００１３】
請求項３の発明では、請求項１の発明において、ソケット本体の内部に撓み片の周りを囲む袋状の隔壁を形成したことを特徴とする。
【００１４】
請求項４の発明では、両端に口金を有する直管形の蛍光ランプと、蛍光ランプの口金が装着される請求項１乃至請求項３の何れか１つに記載のランプソケットと、ランプソケットを保持する器具本体と、器具本体に取り付けられてランプソケットに装着される蛍光ランプを点灯させる安定器とを備えて成ることを特徴とする。
【００１５】
【発明の実施の形態】
本実施形態の照明器具は、図１０〜図１２に示すように、両端にＲ１７ｄ（ＪＩＳ　Ｃ　７７０９−１参照）と呼ばれる口金４１を有する高出力タイプの直管形の蛍光ランプ４０，４０と、各蛍光ランプ４０の軸方向に沿って一対ずつ配置され口金４１と嵌合する受金を具備したランプソケット（可動形ランプソケット１及び固定形ランプソケット１’）と、２組のランプソケット１，１’を保持する器具本体２０と、器具本体２０に取り付けられて各組のランプソケット１，１’に装着される蛍光ランプ４０，４０を点灯させる安定器３０とを備える。
【００１６】
先ず可動形ランプソケット（以下、ランプソケットと略す）１の構造について図１〜図８に基づいて説明する。尚、以下の説明では特に断りが無い場合、図３（ａ）の向きにおいて上下左右の方向を規定し、また図３（ａ）における正面を前面という。したがって、図３（ｂ）における右端は後端になる。
【００１７】
このランプソケット１は、図２に示すように、後面が開口した箱形のボディ３及びボディ３の開口面に被着されるカバー４からなるソケット本体２を備え、ソケット本体２の内部には蛍光ランプ４０の口金４１を受ける受金５が納装されている。
【００１８】
ボディ３は、受金５を前後動自在に保持する略円筒状の主部３ａと、主部３ａの後部側から下方に突出する突出部３ｂとが一体に形成された合成樹脂成型品からなり、主部３ａの前面にはプランジャ６が前後動自在に挿通する略十字形の挿通孔３ｃが開口している。また、突出部３ｂの左右両側壁の後縁からは、断面Ｌ字形であって先端が外側に向かって突出し、カバー４の後面との間で後述する器具本体２０の取付板２４を挟持する挟持片１１，１１が一体に突設されている。
【００１９】
カバー４は合成樹脂成型品からなり、ボディ３の主部３ａ並びに突出部３ｂの開口面を塞ぐような形状に形成され、前面の上部には後述する端子金具９のばね座片９ａとコイルばね８の後端部とが挿入される一対のばね保持溝４ａが設けられ、前面の下部にはボディ３の突出部３ｂ内に進出する一対の突台部４ｂが突設されている。カバー４の後面の上部には、後壁に設けたスリット４ｄによって一端側を除いて後壁から分離された舌状の撓み片１２が形成され、撓み片１２の他端部は前後方向において撓み自在となっており、撓み片１２の他端部後面には取付板２４の係止孔２６（被係止凹部）と係止する係止突起１２ａが後方に向かって突設されている。また、カバー４の後面略中央には、図７及び図８に示すように上述した撓み片１２の係止突起１２ａ及び挟持片１１，１１から略等距離の位置に、組立ねじが螺合するねじ穴１３が形成されている。すなわち、係止突起１２ａ及び挟持片１１，１１はねじ穴１３を中心とする略同一半径の円周上に略等しい間隔で配置されている。尚、カバー４の左右両側縁には、ボディ３の挟持片１１，１１に対応する部位に挟持片１１，１１を逃がすための切欠４ｅ，４ｅを設けてある。
【００２０】
プランジャ６は合成樹脂成型品からなり、平面視略十字形の有底筒状の主部６ａと、主部６ａの後端部に形成された鍔部６ｂとを有し、主部６ａの内側に受金５が設けられている。受金５は、前面に開口し口金４１の前端部から突出する嵌合部４２が嵌合する嵌合凹所５ａと、嵌合凹所５ａの底面中央より前方へ突出する平面視略エ字形のガイド部５ｂと、嵌合凹所５ａの底面に設けられた一対の挿通孔（図示せず）に後方からそれぞれ挿通される接触端子７，７とを具備する。
【００２１】
接触端子７は金属部材により略十字形に形成され、上記挿通孔から嵌合凹所５ａ内に挿入されるコンタクト部７ａが、ガイド部５ｂの両側面の縦溝５ｃに収納保持される。一方、上記挿通孔よりプランジャ６の後方に突出する接触端子７の後端部７ｂにはコイルばね８の前端部が挿入される。
【００２２】
コイルばね８の後端部は端子金具９のばね座片９ａとともにカバー４のばね保持溝４ａ内に挿入される。端子金具９は金属板に抜き加工且つ曲げ加工を施して形成され、略円形のばね座片９ａと、外部電線が接続される速結端子部９ｂと、ばね座片９ａと速結端子部９ｂとの間を連結する連結片９ｃとを有する。そして、端子金具９をカバー４に取り付けた状態では、ばね座片９ａがばね保持溝４ａの底部に配置されるとともに、速結端子部９ｂが突台部４ｂの前面側に載置される。ばね座片９ａの略中央には孔９ｆが貫設されており、この孔９ｆがばね保持溝４ａの底壁に設けた突起（図示せず）に嵌り込むことで、ばね座片９ａの位置決めが行われるようになっている。この時、コイルばね８の後端部がばね座片９ａと接触し、接触端子７と端子金具９とがコイルばね８を介して電気的に接続される。ここに、２組の接触端子７、コイルばね８、及び端子金具９から蛍光ランプ４０の口金４１が備える接触片（図示せず）と給電線の間を電気的に接続する導電金具１０が構成される。
【００２３】
端子金具９の速結端子部９ｂは平面視略コ字形であって、ボディ３の左右の側壁に沿って配置される当接片９ｄと、当接片９ｄとの間で給電線の芯線を挟持する鎖錠片９ｅとを有している。鎖錠片９ｅは切り起こしによって形成され、先端に行くほどボディ３の下壁から遠ざかる向きに傾斜しており、先端縁が当接片９ｄと対向している。ボディ３の下壁には、当接片９ｄと鎖錠片９ｅとの対向部位に対応して電線挿通孔３ｄが一対ずつ設けられており、この電線挿通孔３ｄから給電線（図示せず）の被覆が剥かれた芯線を挿入すると、鎖錠片９ｅと当接片９ｄとの間に芯線の導体が挟持され、鎖錠片９ｅの先端縁が芯線の導体に食い込むことによって、芯線の脱落が防止されるようになっている。すなわち、電線挿通孔３ｄに給電線の芯線を挿入するだけで、芯線が保持されるとともに、端子金具９への電気的接続がなされるのである。また、ボディ３の下壁には各電線挿通孔３ｄに対応して電線外し孔３ｅが設けられており、速結端子部９ｂに接続された給電線の芯線を外す場合には、対応する電線外し孔３ｅから工具を挿入して、工具の先端で鎖錠片９ｅを上側に押圧すると、鎖錠片９ｅが当接片９ｄから離れる方向に撓められるので、鎖錠片９ｅが芯線の導体から離れて、給電線を容易に引き抜くことができる。
【００２４】
次にランプソケット１を組み立てる手順について以下に簡単に説明する。先ずプランジャ６の主部６ａをボディ３の挿通孔３ｃに後方から挿通し、接触端子７、コイルばね８及び端子金具９を内部に納装した後に、ボディ３の開口面にカバー４を被着し、カバー４の組立爪４ｃをボディ３の嵌合凹所（図示せず）と嵌合させることにより、ランプソケット１の組立が完了する。ここで、圧縮状態でソケット本体２内に納装されるコイルばね８のばね力により接触端子７を介してプランジャ６が前方へ弾性付勢され、挿通孔３ｃの周縁に鍔部６ｂが当接することによって、プランジャ６が挿通孔３ｃから抜け止めされた状態で挿通孔３ｃから進退自在に保持される。すなわち、プランジャ６及びコイルばね８により、口金４１との嵌合方向に受金５を移動自在とし且つ蛍光ランプ４０側に受金５を付勢する移動機構が構成される。
【００２５】
ところで、固定形ランプソケット１’は図９に示す様な構造を有し、上記の移動機構を備えておらず、ボディ３の主部３ａ内に受金５が固定されている点で可動形ランプソケット１と相違するが、それ以外の構成についてはほぼ共通であるので、詳細な説明は省略する。
【００２６】
次に、このランプソケット１，１’の器具本体２０への取付構造について説明する。図１に示すように器具本体２０の取付板２４には、カバー４の係止突起１２ａが係止する係止孔２６と、ねじ穴１３に螺合する取付ねじ１４を挿通するための挿通孔２７とが取付板２４を貫通して設けられ、係止孔２６と挿通孔２７とを結ぶ線に対して左右両側に挟持片１１，１１がそれぞれ挿入される貫通孔２５，２５が形成されている。貫通孔２５，２５は係止孔２６と挿通孔２７とを結ぶ線と略平行な方向に延び、挿通孔２７に近い側が遠い側に比べて幅狭となっており、幅広部２５ａの幅寸法は挟持片１１の横片１１ａよりも幅広に形成され、幅狭部２５ｂの幅寸法は挟持片１１の横片１１ａよりも幅狭で、縦片１１ｂの厚みよりも幅広となっている。尚、幅狭部２５ｂ，２５ｂ及び係止孔２６は挿通孔２７を中心とする略同一半径の円周上に配置されている。
【００２７】
而して、ランプソケット１，１’を取付板２４に取り付ける際には、ソケット本体２の後面を取付板２４に近づけて、挟持片１１，１１をそれぞれ貫通孔２５の幅広部２５ａに挿入した後、ソケット本体２を貫通孔２５の長手方向に沿ってスライド移動させて、挟持片１１を貫通孔２５の幅狭部２５ｂ内に挿入させると、挟持用突起たる横片１１ａの先端部とカバー４の後面（ソケット本体２の後壁）との間に幅狭部２５ｂの縁が挟持される。ここに、カバー４の後面と横片１１ａの前面との間の隙間は取付板２４の板厚と略同じ寸法に形成されているので、挟持片１１が幅狭部２５ｂ内に挿入されると、取付板２４の表面によって係止突起１２ａが前方に押圧されて、撓み片１２の先端部が前方に撓められる。また、ソケット本体２を取付板２４に対してスライド移動させて、挟持片１１を幅狭部２５ｂの端まで移動させると、撓み片１２の弾性力によって撓み片１２の係止突起１２ａが取付板２４の係止孔２６と嵌合し、ソケット本体２が取付板２４に仮保持される。この時、カバー４のねじ穴１３と取付板２４の挿通孔２７とが連通し、挿通孔２７に通した取付ねじ１４をねじ穴１３に螺合することで、ソケット本体２が取付板２４に固定されるのである。
【００２８】
ところで、両端に口金を有する直管形の蛍光ランプ４０が装着されるランプソケット１，１’では、片口金の蛍光ランプが装着されるランプソケットに比べてランプ引張り方向に加わる力が小さいので、ランプ引張り方向への取付荷重は小さくて済み、そのうえ本実施形態ではランプ引張り方向に加わる力を取付ねじ１４と挟持片１１の横片１１ａとで受けているので、取付ねじ１４に締付力の小さい小型のものを使用でき、その結果ソケット本体２の小型化を図ることができる。
【００２９】
また、取付ねじ１４のねじ締め時や蛍光ランプ４０を回転させるような力が加わった場合には、取付ねじ１４の螺合するねじ穴１３を中心としてソケット本体２を回転させるような力がソケット本体２に加わるのであるが、挟持片１１の位置規制突起たる縦片１１ｂが貫通孔２５（幅狭部２５ｂ）の縁に当接するとともに、係止突起１２ａが係止孔２６と係止することでソケット本体２の回り止めを行っており、ソケット本体２を回転させる力を３箇所の突起（係止突起１２ａと挟持片１１，１１の縦片１１ｂ，１１ｂ）で受けているので、各々の突起で受ける荷重を低減して、突起の破損を防止でき、また１個当たりの突起で受ける荷重を従来と同程度にするのであれば、ソケット本体２の取付強度を高めることができる。しかも、３箇所の突起（係止突起１２ａと挟持片１１，１１の縦片１１ｂ，１１ｂ）はねじ穴１３から略等距離の位置に配置されているので、３箇所の突起で荷重を均等に受けることができる。ここに、撓み片１２と係止突起１２ａと挟持片１１の横片１１ａ及び縦片１１ｂとで、ソケット本体２を板状の取付部位（器具本体２０の取付板２４）に取り付けるための取付手段が構成される。
【００３０】
なお、カバー４の前面側には撓み片１２の外側の部位から上側が開口した袋状の隔壁４ｆが形成されており、組立状態では隔壁４ｆとボディ２の上壁とで撓み片１２の周りが囲まれている。このように隔壁４ｆによってカバー４の撓み片１２が形成された部位と、導電部材１０の収納空間とが仕切られているので、スリット４ｄを通って内部に侵入した埃や虫などがソケット本体２内部の導電部材と接触するのを防止できる。
【００３１】
次に器具本体２０の構造について図１０〜図１２を参照して説明する。器具本体２０は、並行配置される長尺の枠体２１，２１と、枠体２１，２１の両端部間をそれぞれ連結する枠体２２，２２とで横長の四角枠状に形成されており、天井面等に適宜の取付手段を用いて取着されるようになっている。長手方向において対向する一方（図１０中の左側）の枠体２２の内側面には２個の可動形ランプソケット１，１が取り付けられ、他方の枠体２２の内側面には２個の固定形ランプソケット１’，１’が取り付けられており、ランプソケット１，１’間に蛍光ランプ４０が装着されるようになっている。つまり、枠体２２，２２の内側面からランプソケット１，１’の取付板２４が構成される。尚、図中の２３は反射板である。
【００３２】
このように構成される本実施形態の照明器具に蛍光ランプ４０を装着する手順を説明する。まず、可動形のランプソケット１に対して、口金４１の嵌合部４２を受金５の嵌合凹所５ａに挿入すると、受金５のガイド部５ｂが嵌合部４２内に進入して、嵌合部４２に保持された一対の接触片（図示せず）がそれぞれガイド部５ｂに支持された接触端子７のコンタクト部７ａと接触する。このとき、蛍光ランプ４０がランプソケット１の方へ押されることでコイルばね８のばね力に抗してプランジャ６が器具本体２０の長手方向（口金４１と受金５の嵌合方向）の後方、すなわちランプソケット１の挿通孔３ｃ内に進入する向き（図１０中の左側）に移動し、口金４１の嵌合部４２が受金５の嵌合凹所５ａに嵌合した状態でプランジャ６とともに口金４１がランプソケット１の挿通孔３ｃ内に進入する。この時、蛍光ランプ４０の反対側の端部が固定形ランプソケット１’の位置よりも図１０中の左側に移動するので、ランプソケット１，１’間に蛍光ランプ４０を挿入することができ、蛍光ランプ４０を固定形のランプソケット１’の向きに押すことで反対側の口金４１がランプソケット１’の受金５に接続される。蛍光ランプ４０をランプソケット１，１’間に装着した状態では、コイルばね８のばね力によりプランジャ６がランプソケット１の挿通孔３ｃから退出する向きに移動し、プランジャ６がランプソケット１の挿通孔３ｃから突出した状態で蛍光ランプ４０が両ランプソケット１，１’に装着される（図１１参照）。
【００３３】
尚、本実施形態ではＲ１７ｄ形の口金を備える蛍光ランプが装着される例について説明したが、蛍光ランプを上記のものに限定する趣旨のものではなく、口金を両端に備える直管形の蛍光ランプであれば、どのような蛍光ランプが装着されるランプソケットにも本発明を適用可能である。
【００３４】
【発明の効果】
上述のように、請求項１の発明は、両端に口金を有する直管形の蛍光ランプが装着されるランプソケットであって、蛍光ランプの口金を受ける受金が前面に設けられた樹脂製のソケット本体と、ソケット本体の内部に収納され給電線が接続されるとともに口金が備える接触片に電気的に接続される導電部材とを備え、ソケット本体を板状の取付部位に取り付けるための取付手段をソケット本体の後面側に設け、該取付手段を、ソケット本体の後壁に設けたスリットによって一端側を除いて後壁から分離され、他端部が前後方向において撓み自在に形成された撓み片と、撓み片の他端部から後方に向かって突出し取付部位に設けた被係止凹部と係止する係止突起と、それぞれソケット本体の後面から後方に突出し、取付部位に設けた貫通孔に挿入されて貫通孔の縁と当接することにより回り止めを行う一対の位置規制突起と、各位置規制突起の先端部から側方に突出し、ソケット本体の後壁との間で取付部位を挟持する一対の挟持用突起とで構成したことを特徴とし、一対の挟持用突起によりソケット本体の後壁との間で取付板を挟持するとともに、撓み片の弾性力によって撓み片に設けた係止突起と取付板の被係止凹部とを嵌合させることで、ソケット本体を取付板に取り付けることができ、且つ、蛍光ランプを回転させる力が加わった場合には係止突起と一対の位置規制突起との３つの突起で荷重を受けるから１個当たりの突起で受ける荷重を小さくして、突起の破損を防止でき、また１個の突起で受ける荷重を従来と同程度にするのであれば全体としてソケット本体の取付強度が大きくなり、確実にランプソケットを取り付けることができる。また両口金形の直管形蛍光ランプが装着されるランプソケットでは、片口金形の蛍光ランプが装着されるランプソケットに比べてランプ引張り方向の取付強度が小さく済み、そのうえランプ引張り方向に加わる力を一対の挟持用突起でも受けているので、ソケット本体を取付部位にねじ止めする場合にも取付ねじに締付力の小さい小型のものを使用できるから、ランプソケットを小型化でき、さらにソケット本体は取付板に仮固定されているのでねじ締め作業がやりやすいという効果もある。
【００３５】
請求項２の発明では、請求項１の発明において、ソケット本体の後壁において、押圧突起及び一対の位置規制突起から略等距離の位置に、取付部位に設けた挿通孔に通した取付ねじが螺合するねじ穴を形成したことを特徴とし、ねじ締め時や蛍光ランプを回転させる力が加わった場合にはねじ穴を中心としてソケット本体を回転させる力が加わるのであるが、押圧突起及び一対の位置規制突起をねじ穴から略等距離の位置に設けてあるので、３個の突起で荷重を均等に受けることができるという効果がある。
【００３６】
請求項３の発明では、請求項１の発明において、ソケット本体の内部に撓み片の周りを囲む袋状の隔壁を形成したことを特徴とし、スリットを通ってソケット本体の内部に侵入した塵や虫などが導電部材に付着するのを防止できるという効果がある。
【００３７】
請求項４の発明では、両端に口金を有する直管形の蛍光ランプと、蛍光ランプの口金が装着される請求項１乃至請求項３の何れか１つに記載のランプソケットと、ランプソケットを保持する器具本体と、器具本体に取り付けられてランプソケットに装着される蛍光ランプを点灯させる安定器とを備えて成ることを特徴とし、器具本体に確実に取り付けることのできる小型のランプソケットを備えた照明器具を提供できる。
【図面の簡単な説明】
【図１】本実施形態の可動タイプのランプソケットを器具本体に取り付ける前の状態の斜視図である。
【図２】同上の分解斜視図である。
【図３】同上を示し、（ａ）は正面図、（ｂ）はＡ−Ａ断面図である。
【図４】同上の下面図である。
【図５】同上のカバーを示し、（ａ）は後側から見た斜視図、（ｂ）はＢ−Ｂ断面図である。
【図６】同上のカバーを前側から見た斜視図である。
【図７】同上の背面図である。
【図８】同上を後側から見た斜視図である。
【図９】同上の固定タイプのランプソケットの分解斜視図である。
【図１０】同上のランプソケットを用いる照明器具の下面図である。
【図１１】同上の照明器具を示し、図１０のＣ−Ｃ断面図である。
【図１２】同上の照明器具を示し、図１１のＤ−Ｄ断面図である。
【図１３】従来のランプソケットを示し、（ａ）は取付板に取り付けた状態の一部破断せる側面図、（ｂ）は背面図である。
【符号の説明】
１　　　ランプソケット
２　　　ソケット本体
３　　　ボディ
４　　　カバー
４ｄ　　スリット
６　　　プランジャ
１１　　挟持片
１１ａ　横片
１１ｂ　縦片
１２　　撓み片
１２ａ　係止突起
２４　　取付板
２５　　貫通孔
２５ｂ　幅狭部
２６　　係止孔
【図１】
2004146277.tif 000003
【図２】
2004146277.tif 000004
【図３】
2004146277.tif 000005
【図４】
2004146277.tif 000006
【図５】
2004146277.tif 000007
【図６】
2004146277.tif 000008
【図７】
2004146277.tif 000009
【図８】
2004146277.tif 000010
【図９】
2004146277.tif 000011
【図１０】
2004146277.tif 000012
【図１１】
2004146277.tif 000013
【図１２】
2004146277.tif 000014
【図１３】
2004146277.tif 000015